(57)【要約】【課題】導線が筒状に多重に巻かれ被検体を囲むように設けられた複数のコイルの冷却を、省スペースの設備で効率的に行えるようにした医療装置を提供する。【解決手段】この医療装置は、コイル２ｘが巻かれた筒状のボビン部４ｘと、ボビン部４ｘの軸方向の内側端部に連設されるボビン内側板部５ｘと、ボビン部４ｘの軸方向の外側端部に連設されるボビン外側板部６ｘと、コイル２ｘの最外層面２ａｘとボビン内側板部５ｘとボビン外側板部６ｘととともに、冷却流体が流れる流路空間Ｐｘを形成する空間形成板部７ｘと、流路空間Ｐｘに連通し冷却流体が流入する冷却流体入口部８ｘと、流路空間Ｐｘに連通し冷却流体が流出する冷却流体出口部９ｘと、を備えてなる【選択図】図７
2015226661.tif 000002
【特許請求の範囲】
【請求項１】
コイルが巻かれた筒状のボビン部と、
前記ボビン部の軸方向の内側端部に連設されるボビン内側板部と、
前記ボビン部の軸方向の外側端部に連設されるボビン外側板部と、
前記コイルの最外層面と前記ボビン内側板部と前記ボビン外側板部ととともに、冷却流体が流れる流路空間を形成する空間形成板部と、
前記流路空間に連通し前記冷却流体が流入する冷却流体入口部と、
前記流路空間に連通し前記冷却流体が流出する冷却流体出口部と、
を備えてなることを特徴とする医療装置。
【請求項２】
請求項１に記載の医療装置において、
前記流路空間の冷却流体の流れを制御する少なくとも１個の仕切り板部を更に備えてなることを特徴とする医療装置。
【請求項３】
請求項２に記載の医療装置において、
前記冷却流体入口部と前記冷却流体出口部とは、それぞれ１個であり、
前記仕切り板部の１つは前記冷却流体入口部の開口部の中央に、前記仕切り板部のもう１つは前記冷却流体出口部の開口部の中央に、それぞれ設けられていることを特徴とする医療装置。
【請求項４】
請求項２に記載の医療装置において、
前記冷却流体入口部と前記冷却流体出口部とは、それぞれ１個であり、互いに近接して設けられており、
前記仕切り板部は、前記冷却流体入口部の開口部と前記冷却流体出口部の開口部の間に設けられていることを特徴とする医療装置。
【請求項５】
請求項２に記載の医療装置において、
前記冷却流体入口部は、２個であり、互いに近接して設けられており、
前記冷却流体出口部は、２個であり、互いに近接して設けられており、
前記仕切り板部の１つは前記２個の冷却流体入口部の開口部の間に、前記仕切り板部のもう１つは前記２個の冷却流体出口部の開口部の間に、それぞれ設けられていることを特徴とする医療装置。
【請求項６】
請求項１〜５のいずれか１項に記載の医療装置において、
前記ボビン部、前記ボビン内側板部、前記ボビン外側板部、前記冷却流体入口部、前記冷却流体出口部、及び前記空間形成板部は、被検体を囲み得る６面の全てに形成されていることを特徴とする医療装置。
【請求項７】
請求項１〜５のいずれか１項に記載の医療装置において、
前記ボビン部、隣接する４面のボビン内側板部に接するように延びた前記ボビン内側板部、及び、隣接する４面のボビン外側板部に接するように延びた前記ボビン外側板部は、被検体を囲み得る６面の全てに形成されており、
前記冷却流体入口部及び前記冷却流体出口部は、前記６面のうち周回する４面に形成されており、
前記空間形成板部は、前記周回する４面の角部の位置において前記ボビン内側板部と前記ボビン外側板部との間、かつ、残りの２面の前記コイルの最外層面の間を掛け渡すように設けられていることを特徴とする医療装置。
【請求項８】
請求項１に記載の医療装置において、
前記ボビン部、隣接する４面のボビン内側板部に接するように外周が面の端まで延びた前記ボビン内側板部、及び、隣接する４面のボビン外側板部に接するように外周が面の端まで延びた前記ボビン外側板部は、被検体を囲み得る６面の全てに形成されており、
前記冷却流体入口部及び前記冷却流体出口部は、前記６面のうち周回する４面に形成されており、
前記空間形成板部は、前記冷却流体入口部と前記冷却流体出口部の各々の近傍において、前記ボビン内側板部と前記ボビン外側板部との間、かつ、前記周回する４面の前記コイルの最外層面と残りの２面の前記コイルの最外層面の間を掛け渡すように設けられていることを特徴とする医療装置。
【発明の詳細な説明】
【技術分野】
【０００１】
本発明は、体内の検査等のために磁気を用いる医療装置であって、特に、コアを用いないコイルによって磁気を発生するものに関する。
【背景技術】
【０００２】
近年、磁気を用いて体内の検査又は治療などを行う種々の医療装置が知られている。例えば、特許文献１には、スパイラルコイルからの磁気によって頭部を治療する医療装置（磁気刺激装置）が開示されている。また、特許文献２には、被検体を囲み得る６面に導線が筒状に多重に巻かれたコイルを設け、それらのコイルからの磁気によって体内のカプセル内視鏡の進行などを制御して体内を検査する医療装置が開示されている。
【０００３】
このような医療装置では、コイルが発熱するため、発熱量が多い場合は液冷又は空冷によってコイルを冷却する必要がある。特許文献１には、コイルの液冷及び空冷について記載されており、その中には、スパイラルコイルが収容されたケースに強制的に空気を流してスパイラルコイルの表面を空冷する形態が記載されている。
【先行技術文献】
【特許文献】
【０００４】
【特許文献１】特開２０１２−１２５５４６号公報
【特許文献２】特開２０１３−０６６６９４号公報
【発明の概要】
【発明が解決しようとする課題】
【０００５】
しかしながら、特許文献２の医療装置のように、導線が筒状に多重に巻かれ被検体を囲み得る６面のコイルは、それぞれが大きく、医療装置全体の大きさをほぼ決める。医療装置は、大病院に限らず小病院にも設置されるのが望ましいので、コイルの冷却に係る設備についても省スペースで、かつ、効率的に冷却できる構造が望ましい。
【０００６】
本発明は、係る事由に鑑みてなされたものであり、その目的は、導線が筒状に多重に巻かれ被検体を囲むように設けられた複数のコイルの冷却を、省スペースの設備で効率的に行えるようにした医療装置を提供することにある。
【課題を解決するための手段】
【０００７】
上記目的を達成するために、請求項１に記載の医療装置は、コイルが巻かれた筒状のボビン部と、前記ボビン部の軸方向の内側端部に連設されるボビン内側板部と、前記ボビン部の軸方向の外側端部に連設されるボビン外側板部と、前記コイルの最外層面と前記ボビン内側板部と前記ボビン外側板部ととともに、冷却流体が流れる流路空間を形成する空間形成板部と、前記流路空間に連通し前記冷却流体が流入する冷却流体入口部と、前記流路空間に連通し前記冷却流体が流出する冷却流体出口部と、を備えてなることを特徴とする。
【０００８】
請求項２に記載の医療装置は、請求項１に記載の医療装置において、前記流路空間の冷却流体の流れを制御する少なくとも１個の仕切り板部を更に備えてなることを特徴とする。
【０００９】
請求項３に記載の医療装置は、請求項２に記載の医療装置において、前記冷却流体入口部と前記冷却流体出口部とは、それぞれ１個であり、前記仕切り板部の１つは前記冷却流体入口部の開口部の中央に、前記仕切り板部のもう１つは前記冷却流体出口部の開口部の中央に、それぞれ設けられていることを特徴とする。
【００１０】
請求項４に記載の医療装置は、請求項２に記載の医療装置において、前記冷却流体入口部と前記冷却流体出口部とは、それぞれ１個であり、互いに近接して設けられており、前記仕切り板部は、前記冷却流体入口部の開口部と前記冷却流体出口部の開口部の間に設けられていることを特徴とする。
【００１１】
請求項５に記載の医療装置は、請求項２に記載の医療装置において、前記冷却流体入口部は、２個であり、互いに近接して設けられており、前記冷却流体出口部は、２個であり、互いに近接して設けられており、前記仕切り板部の１つは前記２個の冷却流体入口部の開口部の間に、前記仕切り板部のもう１つは前記２個の冷却流体出口部の開口部の間に、それぞれ設けられていることを特徴とする。
【００１２】
請求項６に記載の医療装置は、請求項１〜５のいずれか１項に記載の医療装置において、前記ボビン部、前記ボビン内側板部、前記ボビン外側板部、前記冷却流体入口部、前記冷却流体出口部、及び前記空間形成板部は、被検体を囲み得る６面の全てに形成されていることを特徴とする。
【００１３】
請求項７に記載の医療装置は、請求項１〜５のいずれか１項に記載の医療装置において、前記ボビン部、隣接する４面のボビン内側板部に接するように延びた前記ボビン内側板部、及び、隣接する４面のボビン外側板部に接するように延びた前記ボビン外側板部は、被検体を囲み得る６面の全てに形成されており、前記冷却流体入口部及び前記冷却流体出口部は、前記６面のうち周回する４面に形成されており、前記空間形成板部は、前記周回する４面の角部の位置において前記ボビン内側板部と前記ボビン外側板部との間、かつ、残りの２面の前記コイルの最外層面の間を掛け渡すように設けられていることを特徴とする。
【００１４】
請求項８に記載の医療装置は、請求項１に記載の医療装置において、前記ボビン部、隣接する４面のボビン内側板部に接するように外周が面の端まで延びた前記ボビン内側板部、及び、隣接する４面のボビン外側板部に接するように外周が面の端まで延びた前記ボビン外側板部は、被検体を囲み得る６面の全てに形成されており、前記冷却流体入口部及び前記冷却流体出口部は、前記６面のうち周回する４面に形成されており、前記空間形成板部は、前記冷却流体入口部と前記冷却流体出口部の各々の近傍において、前記ボビン内側板部と前記ボビン外側板部との間、かつ、前記周回する４面の前記コイルの最外層面と残りの２面の前記コイルの最外層面の間を掛け渡すように設けられていることを特徴とする。
【発明の効果】
【００１５】
本発明によれば、導線が筒状に多重に巻かれ被検体を囲むように設けられた複数のコイルの冷却を、省スペースの設備で効率的に行えるようにした医療装置を提供することが可能になる。
【図面の簡単な説明】
【００１６】
【図１】本発明の実施形態に係る医療装置の６面のコイルを示す斜視図である。
【図２】同上の医療装置の使用状態を示す模式図である。
【図３】同上の医療装置のコイルがボビン部に巻かれた状態を示す拡大斜視図である。
【図４】同上の医療装置の１面を示す拡大斜視図である。
【図５】同上の医療装置のＡ−Ａで示す位置の切断面で切断した断面図である。
【図６】同上の医療装置を示す斜視図である。
【図７】同上の医療装置のＢ−Ｂで示す位置の切断面で切断した断面図である。
【図８】同上の医療装置の仕切り板部を設けた一例を示す断面図である。
【図９】同上の医療装置の仕切り板部を設けた他の例を示す断面図である。
【図１０】同上の医療装置の仕切り板部を設けた更に他の例を示す断面図である。
【図１１】本発明の実施形態に係る別の医療装置を示す組立図である。
【図１２】同上の別の医療装置の斜視図である。
【図１３】同上の別の医療装置の断面図である。
【図１４】本発明の実施形態に係る更に別の医療装置を示す組立図である。
【図１５】同上の更に別の医療装置の断面図である。
【発明を実施するための形態】
【００１７】
以下、本発明を実施するための形態について図面を参照しながら説明する。本発明の実施形態に係る医療装置１は、図１に示すように、６面にコイル、すなわち、ｘ軸方向の磁気を生成する一対のｘ軸コイル２ｘ、２ｘ’とｙ軸方向の磁気を生成する一対のｙ軸コイル２ｙ、２ｙ’とｚ軸方向の磁気を生成する一対のｚ軸コイル２ｚ、２ｚ’、が設けられている。この医療装置１は、これらのコイルが被検体Ｓを囲み得るものであり、被検体Ｓである患者がカプセル内視鏡３を口から飲み込むか肛門から挿入し、図２に示すように、６面のコイル（図２ではｚ軸コイル２ｚ、２ｚ’のみ示す。）からの磁気によって体内のカプセル内視鏡３の進行などを制御して体内を検査するものである。
【００１８】
ｘ軸コイル２ｘ、２ｘ’、ｙ軸コイル２ｙ、２ｙ’、ｚ軸コイル２ｚ、２ｚ’はそれぞれ、図１等に示すように、コア（鉄芯など）を用いないコイルである。以下、ｘ軸コイル２ｘのまわりの構成について説明する。医療装置１においてコイルを有する各面は、互いに同様であるので、特に説明がなければ、ｘ軸コイル２ｘ以外のコイル（他方のｘ軸コイル２ｘ’、ｙ軸コイル２ｙ、２ｙ’、ｚ軸コイル２ｚ、２ｚ’）のまわりの構成は、ｘ軸コイル２ｘのまわりの構成と同様である。また、ｘ軸コイル２ｘ以外のコイルのまわりの構成を示す符号は、ｘ軸コイル２ｘのまわりの構成のｘをｘ’、ｙ、ｙ’、ｚ、又はｚ’に変えたものを用いている。
【００１９】
ｘ軸コイル２ｘは、図３に示すように、長い導線２０ｘが筒状の（中空孔４０ｘを有する）ボビン部４ｘのまわり（外周面）に多重に巻かれることにより形成されるものである。導線２０ｘは、表面が絶縁処理された通常のものである。導線２０ｘの両端の端子２０ａｘ、２０ｂｘには、所定の電圧が印加される。なお、本実施形態のボビン部４ｘは、角を丸めた四角筒状であるが、円筒状や多角形の筒状などであってもよい。また、図３以外の図面では、導線２０ｘ及びその両端の端子２０ａｘ、２０ｂｘの図示は省略する。
【００２０】
ｘ軸コイル２ｘの周辺には、ボビン部４ｘの他に、図４に示すように、ボビン内側板部５ｘ、ボビン外側板部６ｘ、及び、空間形成板部７ｘが設けられている。ボビン部４ｘ、ボビン内側板部５ｘ、ボビン外側板部６ｘ、及び空間形成板部７ｘは、非磁性体であり、例えば、真鍮、アルミニウム、ステンレス鋼等の非磁性体金属や木材などを用いることができる。なお、ボビン部４ｘとボビン内側板部５ｘとボビン外側板部６ｘは、通常は一体的に形成されるが、別体に形成しておいて接合するようにしてもよい。また、非磁性体金属を用いる場合は、渦電流が流れないように筒状の形状に切れ目を設けてもよい。
【００２１】
ボビン内側板部５ｘは、図４及び図５に示すように、ボビン部４ｘの軸方向（ｘ軸方向）の内側端部に連設される（連なるように設けられる）。ボビン内側板部５ｘは、軸方向に直交する外方に向かって延びており、ボビン部４ｘの中空孔４０ｘに対応する部分は貫通孔となっている。また、ボビン内側板部５ｘの外周は、図６に示すように、隣接する４面のボビン内側板部５ｙ、５ｙ’、５ｚ、５ｚ’）に接する。なお、ボビン内側板部５ｘは、後述するボビン外側板部６ｘとほぼ同様な形状として、隣接する４面のボビン内側板部の間をフレーム材で接続してもよい。
【００２２】
ボビン外側板部６ｘは、図４及び図５に示すように、ボビン部４ｘの軸方向の外側端部に連設される。ボビン外側板部６ｘは、軸方向に直交する外方に向かって延びており、ボビン部４ｘの中空孔４０ｘに対応する部分は貫通孔となっている。また、ボビン外側板部６ｘの外周は、この貫通孔の形状を比例拡大した形状であり、従って、ボビン外側板部６ｘは、形状が環状のものとなっている。すなわち、ボビン外側板部６ｘの外周は、図６に示すように、隣接する４面のボビン外側板部６ｙ、６ｙ’、６ｚ、６ｚ’）に接しない。
【００２３】
空間形成板部７ｘは、図５及び図７に示すように、ｘ軸コイル２ｘの最外層面２ａｘとボビン内側板部５ｘとボビン外側板部６ｘとともに、冷却流体が流れる流路空間Ｐｘを形成するものである。冷却流体は、通常は空気であるが、その他の気体や水などの液体も可能である。空間形成板部７ｘは、ｘ軸コイル２ｘの最外層面２ａｘとボビン内側板部５ｘとボビン外側板部６ｘとともに閉空間の流路空間Ｐｘを形成するように、ボビン内側板部５ｘとボビン外側板部６ｘの間を掛け渡すように設けられそれらに接合される。なお、接合においては、段差等の適宜の位置決め構造を採用することが好ましい。
【００２４】
また、流路空間Ｐｘに連通し冷却流体が流入する１個の冷却流体入口部８ｘと、流路空間Ｐｘに連通し冷却流体が流出する１個の冷却流体出口部９ｘと、が設けられている（図４等参照）。冷却流体入口部８ｘには、冷却流体が空気の場合はブロワーなどが接続される。流路空間Ｐｘ内では、図７に示すように、冷却流体入口部８ｘの開口部（流路空間Ｐｘ内への開口部）から冷却流体出口部９ｘの開口部（流路空間Ｐｘ内への開口部）に向かって強制的に冷却流体が流れる。冷却流体出口部９ｘには、外部に吸引装置を接続してもよい。なお、図７（及びそれに対応する他の図面）においては、冷却流体の流れの概略を矢印付き破線で記している。
【００２５】
このような構成の医療装置１は、冷却流体が流れる流路空間Ｐｘの形成にｘ軸コイル２ｘの最外層面２ａｘ、・・・を用いている。被検体Ｓを囲み得る６面の他の面についても同様である。従って、被検体Ｓを囲むように設けた複数のコイルの冷却を、省スペースの設備で効率的に行える。なお、被検体Ｓを囲み得る６面について、任意の面だけ、例えば１個の面であるｘ軸コイル２ｘのまわりの構成だけを上記のようにすることも可能である。
【００２６】
また、図８に示すように、冷却流体入口部８ｘの開口部の中央に冷却流体の流れを制御する仕切り板部１０ａｘ、冷却流体出口部９ｘの開口部の中央に冷却流体の流れを制御する仕切り板部１０ｂｘをそれぞれ設けるのが好ましい。こうすると、冷却流体入口部８ｘの開口部から冷却流体出口部９ｘの開口部に向かって冷却流体が安定して、すなわち、流れの方向が異なる冷却流体の衝突などによる渦などを発生せずに流れ易くなる。
【００２７】
冷却流体入口部８ｘの開口部から冷却流体出口部９ｘの開口部に向かって冷却流体が安定して流れ易くするためには、以下のようにすることも可能である。すなわち、図９に示すように、冷却流体入口部８ｘと冷却流体出口部９ｘとは、それぞれ１個であり、互いに近接して設け、冷却流体入口部８ｘの開口部と冷却流体出口部９ｘの開口部の間に仕切り板部１０ｃｘを設けてもよい。こうすると、冷却流体が周回して流れるので、流れの方向が異なる冷却流体の衝突などもなく流れは安定する。また、図１０に示すように、２個の冷却流体入口部８ｘ、８ｘを互いに近接して設け、２個の冷却流体出口部９ｘ、９ｘを互いに近接して設け、２個の冷却流体入口部８ｘ、８ｘの開口部の間に仕切り板部１０ｄｘ、２個の冷却流体出口部９ｘ、９ｘの開口部の間に仕切り板部１０ｅｘをそれぞれ設けてもよい。こうすると、仕切り板部１０ａｘ、１０ｂｘを用いた上記の形態と同様に流れの方向が異なる冷却流体の衝突などもなく、冷却流体入口部８ｘ、８ｘの開口部から冷却流体出口部９ｘ、９ｘの開口部に向かって冷却流体が安定して流れ易くなり、更にｘ軸コイル２ｘの左右でバランス良く流れ易くなる。
【００２８】
このように、流路空間Ｐｘを仕切る少なくとも１個の仕切り板部を設けることで、流れの方向が異なる冷却流体の衝突などもなく、冷却流体入口部８ｘ（、８ｘ）の開口部から冷却流体出口部９ｘ（、９ｘ）の開口部に向かって冷却流体が安定して流れ易くすることができる。
【００２９】
なお、被検体Ｓを囲み得る６面のうち冷却流体入口部８ｘ（、８ｘ）以外の５面の冷却流体入口部については、独立して冷却流体を流入させてもよいし、冷却流体出口部９ｘ（、９ｘ）から排出された冷却流体を流入させてもよい。
【００３０】
次に、本発明を実施するための別の形態について図面を参照しながら説明する。この医療装置１１は、上述した医療装置１と同様に被検体Ｓを囲み得る６面にコイルが設けられたものである。医療装置１１のｘ軸コイル２ｘ、ボビン部４ｘ、ボビン内側板部５ｘは、医療装置１の場合と同様である。
【００３１】
ボビン外側板部６ｘは、図１１に示すように、医療装置１のボビン外側板部６ｘと同様のボビン外側板部６Ａｘにボビン外側板補助部６Ｂｘが接合したものである。こうすることで、図１２に示すように、ボビン外側板部６ｘが隣接する４面のボビン外側板部に接するようにしている。なお、ｘ軸コイル２ｘを適正にボビン部４ｘのまわりに形成できるのならば、ボビン外側板部６Ａｘを省略することも可能である。
【００３２】
医療装置１１の６面の各面におけるコイル、ボビン部、ボビン内側板部、ボビン外側板部は、ｘ軸コイル２ｘ、ボビン部４ｘ、ボビン内側板部５ｘ、ボビン外側板部６ｘと同様である。
【００３３】
空間形成板部７Ａは、４個有り、周回する４面（ｘ軸コイル２ｘ、２ｘ’、ｙ軸コイル２ｙ、２ｙ’の面）の各々の角部の位置において、ボビン内側板部５ｘ、・・・とボビン外側板部６ｘ、・・・との間（例えば、図１１中の中央に示す空間形成板部７Ａについては、ボビン内側板部（５ｘと５ｙの角部）、５ｚ、５ｚ’とボビン外側板部（６ｘと６ｙの角部）、６ｚ、６ｚ’との間）、かつ、残りの（周回する４面以外の）２面（ｚ軸コイル２ｚ、２ｚ’の面）のコイルの最外層面２ａｚ、２ａｚ’の間を掛け渡すように設けられている。空間形成板部７Ａは、ボビン内側板部５ｘ、・・・とボビン外側板部６ｘ、・・・とに接合される。
【００３４】
ｘ軸コイル２ｘまわりの流路空間Ｐｘでは、冷却流体は以下のようにして流れる。すなわち、図１３に示すように、冷却流体入口部８ｘの近傍では、冷却流体は、ｘ軸コイル２ｘの最外層面２ａｘ、ボビン内側板部５ｘ、ボビン内側板部５ｚ’、ｚ軸コイル２ｚ’の最外層面２ａｚ’、ボビン外側板部６ｚ’、ボビン外側板部６ｘによって形成される流路空間Ｐｘを流れる。続いて、冷却流体は、ｘ軸コイル２ｘの最外層面２ａｘ、ボビン内側板部５ｘ、（両側の）空間形成板部７Ａ、ボビン外側板部６ｘによって形成される流路空間Ｐｘを流れる。続いて、冷却流体出口部９ｘの近傍では、冷却流体は、ｘ軸コイル２ｘの最外層面２ａｘ、ボビン内側板部５ｘ、ボビン内側板部５ｚ、ｚ軸コイル２ｚの最外層面２ａｚ、ボビン外側板部６ｚ、ボビン外側板部６ｘによって形成される流路空間Ｐｘを流れて冷却流体出口部９ｘから流出する。
【００３５】
他方のｘ軸コイル２ｘ’、ｙ軸コイル２ｙ、２ｙ’まわりの流路空間Ｐｘ’、・・・（図示せず）は、ｘ軸コイル２ｘまわりの流路空間Ｐｘと同様にして形成される。
【００３６】
このような構成の医療装置１１は、周回する４面について冷却流体入口部８ｘ、・・・と冷却流体出口部９ｘ、・・・を設けて流路空間Ｐｘに冷却流体を流すことによって、周回する４面のコイル（ｘ軸コイル２ｘ、２ｘ’、ｙ軸コイル２ｙ、２ｙ’）を冷却すると同時に、残りの２面のコイル（ｚ軸コイル２ｚ、２ｚ’）を冷却することができる。従って、被検体Ｓを囲むように設けた複数のコイルの冷却を、更に省スペースの設備で効率的に行える。
【００３７】
なお、医療装置１１においても、医療装置１と同様に、冷却流体の流れを制御する仕切り板部１０ａｘ〜１０ｅｘを設けることが可能である。
【００３８】
次に、本発明を実施するための更に別の形態について図面を参照しながら説明する。この医療装置１１は、上述した医療装置１１と同様に被検体Ｓを囲み得る６面にコイルが設けられたものである。医療装置１２のｘ軸コイル２ｘ、ボビン部４ｘ、ボビン内側板部５ｘ、ボビン外側板部６ｘは、医療装置１１の場合と同様である。医療装置１２の６面の各面におけるコイル、ボビン部、ボビン内側板部、ボビン外側板部は、ｘ軸コイル２ｘ、ボビン部４ｘ、ボビン内側板部５ｘ、ボビン外側板部６ｘと同様である。
【００３９】
冷却流体入口部８ｘ、・・・と冷却流体出口部９ｘ、・・・は、周回する４面（ｘ軸コイル２ｘ、２ｘ’、ｙ軸コイル２ｙ、２ｙ’の面）において、図１４に示すように、略対角に配置されている。
【００４０】
空間形成板部７Ｂは、冷却流体入口部８ｘ、・・・と冷却流体出口部９ｘ、・・・の各々の近傍にあって、それらに対して同じ時計回り又は反時計回りの位置に、ボビン内側板部５ｘ、・・・とボビン外側板部６ｘ、・・・との間（例えば、図１４中の中央右側に示す空間形成板部７Ｂについては、ボビン内側板部５ｘ、５ｚとボビン外側板部６ｘ、６ｚとの間）、かつ、周回する４面（ｘ軸コイル２ｘ、２ｘ’、ｙ軸コイル２ｙ、２ｙ’の面）のコイルの最外層面２ａｘ、・・・と残りの２面（ｚ軸コイル２ｚ、２ｚ’の面）のコイルの最外層面２ａｚ、２ａｚ’の間（例えば、図１４中の中央右側に示す空間形成板部７Ｂについては、ｘ軸コイル２ｘの最外層面２ａｘとｚ軸コイル２ｚの最外層面２ａｚの間）を掛け渡すように設けられている。空間形成板部７Ｂは、ボビン内側板部５ｘ、・・・とボビン外側板部６ｘ、・・・とに接合される。
【００４１】
ｘ軸コイル２ｘまわりの流路空間Ｐｘでは、冷却流体は以下のようにして流れる。すなわち、図１５に示すように、冷却流体入口部８ｘの近傍では、冷却流体は、空間形成板部７Ｂが設けられていない向きに流れる。すなわち、冷却流体は、ｘ軸コイル２ｘの最外層面２ａｘ、ボビン内側板部５ｘ、ボビン内側板部５ｚ’、ｚ軸コイル２ｚ’の最外層面２ａｚ’、ボビン外側板部６ｚ’、ボビン外側板部６ｘによって形成される流路空間Ｐｘを流れる。続いて、冷却流体は、ｘ軸コイル２ｘの最外層面２ａｘ、ボビン内側板部５ｘ、ボビン内側板部５ｙ’、ｙ軸コイル２ｙ’の最外層面２ａｙ’、ボビン外側板部６ｙ’、ボビン外側板部６ｘによって形成される流路空間Ｐｘを流れる。続いて、冷却流体出口部９ｘの近傍では、冷却流体は、空間形成板部７Ｂに遮られて空間形成板部７Ｂが設けられていない向きに流れ、隣接するｙ軸コイル２ｙ’を冷却する流路空間Ｐｙ’を流れることになる。
【００４２】
その一方、隣接するｙ軸コイル２ｙを冷却して来た冷却流体は、ｙ軸コイル２ｙの最外層面２ａｙ、ボビン内側板部５ｙ、ボビン内側板部５ｘ、ｘ軸コイル２ｘの最外層面２ａｘ、ボビン外側板部６ｘ、ボビン外側板部６ｙによって形成される流路空間Ｐｘを流れる。続いて、冷却流体出口部９ｘの近傍では、冷却流体は、ｘ軸コイル２ｘの最外層面２ａｘ、ボビン内側板部５ｘ、ボビン内側板部５ｚ、ｚ軸コイル２ｚの最外層面２ａｚ、ボビン外側板部６ｚ、ボビン外側板部６ｘによって形成される流路空間Ｐｘを流れて冷却流体出口部９ｘから流出する。
【００４３】
他方のｘ軸コイル２ｘ’、ｙ軸コイル２ｙ、２ｙ’まわりの流路空間Ｐｘ’、・・・（図示せず）は、ｘ軸コイル２ｘまわりの流路空間Ｐｘと同様にして形成される。
【００４４】
このような構成の医療装置１２は、周回する４面について冷却流体入口部８ｘ、・・・と冷却流体出口部９ｘ、・・・を設けて流路空間Ｐｘに冷却流体を流すことによって、周回する４面のコイル（ｘ軸コイル２ｘ、２ｘ’、ｙ軸コイル２ｙ、２ｙ’）を冷却すると同時に、残りの２面のコイル（ｚ軸コイル２ｚ、２ｚ’）を冷却することができる。従って、被検体Ｓを囲むように設けた複数のコイルの冷却を、更に省スペースの設備で効率的に行える。また、医療装置１２は、空間形成板部７Ｂが医療装置１２の空間形成板部７Ａよりも簡単な構成である。
【００４５】
以上、本発明の実施形態に係る医療装置について説明したが、本発明は、実施形態に記載したものに限られることなく、特許請求の範囲に記載した事項の範囲内での様々な設計変更が可能である。
【符号の説明】
【００４６】
１    医療装置
２ｘ、２ｘ’、２ｙ、２ｙ’、２ｚ、２ｚ’    コイル
２ａｘ  ｘ軸コイル２ｘの最外層面
２０ｘ  コイルの導線
４ｘ    ボビン部
５ｘ    ボビン内側板部
６ｘ    ボビン外側板部
７ｘ、７Ａ、７Ｂ  空間形成板部
８ｘ    冷却流体入口部
９ｘ    冷却流体出口部
１０ａｘ、１０ｂｘ、１０ｃｘ、１０ｄｘ、１０ｅｘ  仕切り板部
Ｐｘ    流路空間
【図１】
2015226661.tif 000003
【図２】
2015226661.tif 000004
【図３】
2015226661.tif 000005
【図４】
2015226661.tif 000006
【図５】
2015226661.tif 000007
【図６】
2015226661.tif 000008
【図７】
2015226661.tif 000009
【図８】
2015226661.tif 000010
【図９】
2015226661.tif 000011
【図１０】
2015226661.tif 000012
【図１１】
2015226661.tif 000013
【図１２】
2015226661.tif 000014
【図１３】
2015226661.tif 000015
【図１４】
2015226661.tif 000016
【図１５】
2015226661.tif 000017